(57)【要約】【課題】鉄板焼装置の熱がテーブル天板の上面に伝達することを有効に防止可能な鉄板焼装置の取付構造を提供すること。【解決手段】上端周縁部全域に係止縁部３を有する装置本体２と、装置本体２の内周側に係止される鉄板４と、鉄板４の両端側において装置本体２の内周に係止される排気カバーと、鉄板４の下方に配置されるガスバーナー６を備える鉄板焼装置１をテーブル天板１０に装着するための鉄板焼装置の取付構造であって、  テーブル天板１０に形成された切り欠き１４の周縁部全域に、テーブル天板１０の外周側に向けて、第１の段差部１１と第２の段差部１２を有する段差部１３を形成し、第１の段差部１１に装置本体２の係止縁部３を係止し、第２の段差部１２には断熱部材１６を、係止縁部３と非接触の状態で係止した、ことを特徴とする。【選択図】図１
2005087233.tif 000002
【特許請求の範囲】
【請求項１】
上端周縁部全域に係止縁部（３）を有する装置本体（２）と、該装置本体（２）の内周側に係止される鉄板（４）と、該鉄板（４）の両端側において前記装置本体（２）の内周側に係止される排気カバーと、前記鉄板（４）の下方に配置されるガスバーナー（６）と、を備える鉄板焼装置（１）を、略中央部に前記装置本体（２）を挿入係止可能な切り欠き（１４）を有するテーブル天板（１０）に装着するための鉄板焼装置の取付構造であって、
前記テーブル天板（１０）に形成された切り欠き（１４）の周縁部全域にテーブル天板（１０）の外周側に向けて、第１の段差部（１１）と第２の段差部（１２）を有する２段に亘る段差部（１３）を形成し、
前記第１の段差部（１１）に前記装置本体（２）の係止縁部（３）を係止しつつ前記切り欠き（１４）内に装置本体（２）を挿入係止し、
前記第２の段差部（１２）に、断熱部材（１６）を、前記係止縁部（３）と非接触の状態で係止した、ことを特徴とする鉄板焼装置の取付構造。
【請求項２】
前記断熱部材（１６）として磁気式タイルを用いたことを特徴とする請求項１に記載の鉄板焼装置の取付構造。
【請求項３】
前記断熱部材（１６）における内周側端部にエッヂ部材（１７）を装着したことを特徴とする請求項１又は請求項２に記載の鉄板焼装置の取付構造。
【発明の詳細な説明】
【技術分野】
【０００１】
本発明は、鉄板焼装置の取付構造に係り、より詳しくは、鉄板焼本体の熱がテーブル上面側に伝達することを有効に防止可能とした鉄板焼装置の取付構造に関する。
【背景技術】
【０００２】
従来から、加熱調理用の調理器として鉄板焼装置が提供されており、この鉄板焼装置により、例えばステーキ、焼肉等の加熱調理を可能としている。
【０００３】
ここで、図４は、従来から用いられている鉄板焼装置を分解した状態を示す斜視図であり、また、図５は、前記鉄板焼装置が装着されるテーブル天板３８を示した斜視図であり、図４において３１が鉄板焼装置である。
【０００４】
そして、この従来の鉄板焼装置３１は、テーブル天板３８等に形成された切り欠き３８０１に係止される装置本体３２を備えている。
【０００５】
即ち、図４において３２が装置本体であり、この装置本体３１は、有底の長箱形状としており、その上端には、装置本体３２をテーブルの天板等に係止するための係止縁部３２０１が形成され、この係止縁部３２０１がテーブル天板３８に形成された切り欠き３８０１の周縁部に係止されつつ、装置本体３２が前記切り欠き３８０１内に挿入され、これにより、装置本体３２がテーブル天板３８に取り付けられる。
【０００６】
そして、この装置本体３２の内部には、固定部材３７を介して、装置本体３２の長手方向と並行に２本のガスバーナー３３が備えられており、このガスバーナー３３の炎により、ガスバーナー３３の上方に係止される鉄板３４を加熱することを可能としている。
【０００７】
また、この装置本体３２の内部には、上端近傍部分に載置棚３６が装着されており、この載置棚３６上に鉄板３４の縁が係止され、更に、鉄板３４の長手方向に向けた両端側には、上面側に複数の縦長の排気孔３５０１が形成された排気カバー３５が係止される。
【０００８】
ここで、図３は、前記テーブル天板３８に取り付けられた状態の鉄板焼装置３１をその長手方向に向けて示した断面図であり、図５にも示されているように、前記テーブル天板３８に形成された切り欠き３８０１の周縁部には、その全域に亘り段差部３８０２が形成されており、この段差部３８０２に装置本体３２の係止縁部３２０１が係止され、これにより、テーブル天板３８に鉄板焼装置３１が取り付けられている。
【０００９】
このように、従来の鉄板焼装置３１では、装置本体３２をテーブル天板３８の上面に係止しているため、装置本体３１の係止縁部３２０１がテーブル天板３８の上面に露出してしまうとともに、この露出した部分は高温になるために、これにより、調理する者が不測の事態を被ることが考えられる一方、従来は、この問題点を解決した方法は提案されていなかった。
【発明の開示】
【発明が解決しようとする課題】
【００１０】
そこで、本発明は、鉄板焼装置の熱がテーブル天板の上面に伝達することを有効に防止可能な、鉄板焼装置の取付構造を提供することを課題としている。
【課題を解決するための手段】
【００１１】
本発明の鉄板焼装置の取付構造は、
上端周縁部全域に係止縁部を有する装置本体と、該装置本体の内周側に係止される鉄板と、該鉄板の両端側において前記装置本体の内周側に係止される排気カバーと、前記鉄板の下方に配置されるガスバーナーと、を備える鉄板焼装置を、略中央部に前記装置本体を挿入係止可能な切り欠きを有するテーブル天板に取り付ける鉄板焼装置の取付構造であって、
前記切り欠きの周縁部全域にテーブル天板の外周側に向けて、第１の段差部と第２の段差部を有する２段に亘る段差部を形成し、
前記第１の段差部に前記装置本体の係止縁部を係止しつつ前記切り欠き内に装置本体を挿入係止し、
前記第２の段差部に、熱熱部材を、前記係止縁部と非接触の状態で係止した、ことを特徴としている。
【発明の効果】
【００１２】
本発明の鉄板焼装置では、従来からテーブル天板の切り欠きの周縁部に形成されていた段差部を階段状に２段に形成するとともに、第１段目に鉄板焼装置における装置本体の係止縁部を係止し、第２段目に、前記係止縁部と非接触の状態で断熱部材を係止している。
【００１３】
このように、本発明の鉄板焼装置の取付構造では、断熱部材をテーブル天板の上面に露出させ、従来テーブル天板の上面に露出されていた装置本体の係止縁部を断熱部材により隠すとともに、断熱部材と係止縁部とを非接触の状態にしている。
【００１４】
そのため、鉄板焼装置の熱がテーブル天板の上面に伝わることを有効に防止することが可能となり、この熱により調理する者が不測の事態を被ることを防止可能となった。
【発明を実施するための最良の形態】
【００１５】
本発明の鉄板焼装置では、テーブル天板に形成された切り欠きの周縁部に２段に亘る段差部を形成し、まず、１段目の段差部に、鉄板焼装置における装置本体の係止縁部を係止し、これによりテーブル天板に鉄板焼装置を取り付ける。
【００１６】
そして、２段目の段差部には、例えば磁気式タイル等の断熱部材を、前記係止縁部と非接触の状態で係止する。
【００１７】
ここで、断熱部材における鉄板焼装置側の端部を覆い隠すようにしてエッヂ部材を装着するとよく、これにより、断熱部材の端部が露出することを防止可能であるとともに、例えば断熱部材の角部等が欠けた場合でもこのかけらが鉄板上に落下することを防止可能である。
【実施例１】
【００１８】
本発明における鉄板焼装置の実施例について図面を参照して説明すると、図１は、テーブル天板１０に取り付けた状態の鉄板焼装置を長手方向に向けて示した断面図であり、図において１が鉄板焼装置の部分である。
【００１９】
そして、この鉄板焼装置１は、前述の従来の鉄板焼装置と同様に、上端周縁部全域に係止縁部３が形成された有底箱形状の装置本体を備えている。また、この装置本体２の内部における上方には、載置棚５が備えられており、この載置棚５上には鉄板４が載置されるとともに、この鉄板５の長手方向に向けた両端には前記載置棚５に載置される形態で図示しない排気カバーが装着されている。
【００２０】
更に、装置本体２の内部における底部には、固定部材７を介してガスバーナー６が配置されており、このガスバーナー６からの炎によって前記鉄板４を加熱することにより、鉄板４上で加熱調理を可能としている。
【００２１】
次に、図において８は遮熱板であり、即ち、本実施例における鉄板焼装置１では、前記装置本体１の内部において、その長手方向に沿って、上方を前記ガスバーナー側に傾斜させた遮熱板８を装着しており、これにより、ガスバーナー６よりの熱を有効に鉄板４側に向けるとともに、ガスバーナー６の熱により装置本体２が加熱されることを防止している。
【００２２】
なお、本実施例においては、装置本体２の内壁部に係止部９を装着し、この係止部９に前記遮熱板８を着脱自在に係止することにより、装置本体２内に遮熱板８を装着している。
【００２３】
次に、前記テーブル天板１０において、切り欠き１４の周縁部全域には、第１の段差部１１及び第２の段差部１２が、この順番で階段状に形成されており、この２段に亘る段差部によって段差部１３が形成されている。
【００２４】
そして、前記第１の段差部１１には、前記装置本体２の係止縁部３が係止されており、これにより、切り欠き１４内に鉄板焼装置１が挿入係止されている。なお、本実施例においては、装置本体２と切り欠き１４間に石綿１５を介在させており、これによりテーブル天板１０の炭化を防止している。
【００２５】
次に、前記第２の段差部には、断熱部材としてのタイル１６が載置されており、これにより、装置本体２の係止縁部３がテーブル天板１０の上面に露出することを防止している。
【００２６】
ここで、前記タイル１６について説明すると、本実施例においては、４枚の磁気式の長尺かつ平板状のタイルを用いて、この４枚のタイルによって、前記第２の段差部全域を覆っている。即ち、長めのタイル２枚と短めのタイル２枚を略長方形状に組み付けるような配置にして、第２の段差部１２上に載置している。
【００２７】
そして、本実施例における前記タイル１６の幅寸法としては、これを第２の段差部１２に載置した際に、平面視野で前記第１の段差部１１も覆い隠される程度の寸法としている。
【００２８】
また、前記第１の段差部１１の高さ寸法としては、第２の段差部１２上にタイル１６の一部を載置した際に、タイル１６と前記装置本体２における係止縁部３の上面との間に空間が形成される寸法としており、従って、タイル１６と係止縁部３とが非接触になるようにしている。そしてこれにより、装置本体２の熱がタイル１６に伝わることを防止することにより、テーブル天板１０に露出したタイル１６が高温になることを防止し、調理する者が不測の事態を被ることを防止可能としている。
【００２９】
なお、本実施例においては、前記テーブル天板の厚さ寸法を３０ｍｍとし、第１の段差部１１の高さ寸法を５ｍｍ、第２の高さ寸法を９ｍｍ、タイル１６の厚さ寸法を９ｍｍ、及び装置本体２における係止縁部３の厚さを１．６乃至２ｍｍに設定した。
【００３０】
次に、本実施例においては、前記切り欠き１４内周側全域にエッヂ部材１７を装着し、これによりタイル１６の端部等が露出することを防止している。
【００３１】
ここで、エッヂ部材１７について説明すると、図２はエッヂ部材１７の一部を示す斜視図であり、本実施例における前記エッヂ部材１７は、長板かつ平板状のエッヂ部本体１７０１を有しており、このエッヂ部本体１７０１の高さ方向任意の個所には、エッヂ部本体１７０１の長手方向に沿って、エッヂ部本体１７０１と略直交する方向に向けて、エッヂ部本体１７０１とほぼ同一の長さ寸法とされた長板状の挿入部１７０２が連設されている。更に、エッヂ部本体１７０１の上端部には、エッヂ部本体１７０１とほぼ同一の長さ寸法とされた長板状のカバー部１７０３が、前記挿入部１７０２と同一方向へ連設されている。
【００３２】
そして、このように構成されるエッヂ部材１７は、挿入部１７０２をタイル１６の下面の空間に挿入することによって、前記カバー部１７０３と挿入部１７０２とで前記タイル１６を挟持するような配置で、タイル部１６に係止されるとともに、そのとき、本実施例においては、エッヂ部材１７における挿入部１７０２の厚さ寸法を調整し、装置本体２における係止縁部３の上面とエッヂ部材１７における挿入部１７０２の下面とが非接触状態になるようにしている。
【００３３】
このように、本実施例においては、エッヂ部材１７を用いることによって切り欠き１４の内壁側を覆い隠しているために、タイル１６における装置本体側の端部が露出することを防止して、タイル１６の端部が露出することによる見栄えの悪さ等を無くすることが可能となる。また、エッヂ部材１７によってタイル１６の角部を保護することができるために、例えばタイル１６の角部が破損してこのかけらが鉄板４上に落下することを防止することも可能である。
【００３４】
次に、このように構成される本実施例の作用について説明すると、ガスバーナー６に点火すると、その炎によって鉄板４が加熱され、これにより鉄板４上で鉄板焼等の加熱調理が可能となる。
【００３５】
そしてそれにより、装置本体２及び装置本体２の係止縁部３も加熱されて高温になるが、本実施例では、テーブル天板１０の切り欠き１４の周縁部に２段に亘る階段状の段差部１３を形成するとともに、第１の段差部１１に装置本体２における係止縁部３を係止し、第２の段差部１２には、断熱用のタイルを、装置本体２の係止縁部３と非接触の状態にして載置しており、これにより装置本体２における係止縁部がテーブル天板１０の表面に露出することを防止しているため、テーブル天板１０の表面に高温の部分が露出することが無く、従って、調理している者が火傷等の不測の事態にを被ることを未然防止することが可能である。
【００３６】
また、本実施例においては、エッヂ部材１７を用いることによって切り欠き１４の内壁側を覆い隠しているため、タイル１６の端部が露出することによる見栄えの悪さ等を無くすることが可能になるとともに、エッヂ部材１７によってタイル１６の角部を保護することができ、例えばタイル１６の角部が破損してこのかけらが鉄板４上に落下することを防止することも可能である。但し、このエッヂ部材は必ずしも必要なものではなく、これを備えない構成としてもよい。
【００３７】
また、エッヂ部材を備える場合において、エッヂ部本体１７０１の下方を挿入部１７０２と反対方向に傾斜させ、これによってエッヂ部本体１７０１の下方部分が鉄板４の縁部分近傍に位置するようにしてもよく、これによると、傾斜させたエッヂ部本体１７０１の下方部分により、鉄板４の縁部分から装置本体２の内部へカス等が落下することを防止することも可能となる。
【産業上の利用可能性】
【００３８】
本発明では、テーブル天板に形成された切り欠きの周縁部に２段に亘る段差部を形成し、テーブル天板の表面側に露出する第２の段差部には断熱材としてのタイルを係止して、これにより高温の部分がテーブル天板の表面に露出することを防止しているために、使用によって高温の部分が発生する加熱調理器全般の取付構造に適用可能である。
【図面の簡単な説明】
【００３９】
【図１】鉄板焼装置の取付構造の実施例を説明するための断面図である。
【図２】エッヂ部材を示す斜視図である。
【図３】従来の鉄板焼装置の取付構造を説明するための断面図である。
【図４】従来の鉄板焼装置を説明するための分解図である。
【図５】従来の鉄板焼装置に用いられていたテーブル天板を示す斜視図である。
【符号の説明】
【００４０】
１    鉄板焼装置
２    装置本体
３    装置本体における係止縁部
４    鉄板
５    載置棚
６    ガスバーナー
７    固定部材
８    遮熱板
９    係止部
１０    テーブル天板
１１    第１の段差部
１２    第２の段差部
１３    段差部
１４    テーブル天板に形成された切り欠き
１５    石綿
１６    タイル
１７    エッヂ部材
１７０１    エッヂ部本体
１７０２    挿入部
１７０３    カバー部
【図１】
2005087233.tif 000003
【図２】
2005087233.tif 000004
【図３】
2005087233.tif 000005
【図４】
2005087233.tif 000006
【図５】
2005087233.tif 000007